(57)【要約】  枢動および／または回動可能なディスプレイ（１１０）を備えるディスプレイシステム（１０５）を開示する。ディスプレイシステムは固定された位置にある基台（１４５）を備える。ディスプレイは基台に枢着され、それによりディスプレイは第１の位置と少なくとも第２の位置との間で操作可能である。さらにディスプレイは、同ディスプレイの頂面に対してほぼ垂直な軸線を中心として回動操作可能である。センサ（１５５）が付与され、ディスプレイの枢動および／または回動を検知する。
2007512791.tif 000002
【特許請求の範囲】
【請求項１】
基台と、
基台に枢着され、かつ第１の位置と少なくとも第２の位置との間で操作可能であるディスプレイと、
少なくとも１つのセンサとを備え、
該センサの出力はディスプレイの位置に対応するディスプレイシステム。
【請求項２】
該センサはディスプレイの枢動方向を判定するために使用される信号を出力する請求項１に記載のディスプレイシステム。
【請求項３】
該センサはディスプレイの枢動量を判定するために使用される信号を出力する請求項１に記載のディスプレイシステム。
【請求項４】
ディスプレイは、同ディスプレイを基台に対して枢着するディスプレイ支持体をさらに備える、請求項１に記載のディスプレイシステム。
【請求項５】
前記ディスプレイ支持体は、
ディスプレイに対して固着された少なくとも１つの支持部材と、
少なくとも１つの支持部材に固着され、かつ基台に枢着された少なくとも１つのピボット部材とを備える、請求項４に記載のディスプレイシステム。
【請求項６】
前記ディスプレイ支持体は、
基台に固着された少なくとも１つの支持部材と、
少なくとも１つの支持部材に固着され、かつディスプレイに枢着された少なくとも１つのピボット部材とを備える、請求項４に記載のディスプレイシステム。
【請求項７】
ディスプレイは、ディスプレイの頂面に対してほぼ直交する方向に延びる軸線を中心として回動操作可能である、請求項１に記載のディスプレイシステム。
【請求項８】
該センサはディスプレイの回動方向を検出する請求項７に記載のディスプレイシステム。
【請求項９】
該センサはディスプレイの回動量を検出する請求項７に記載のディスプレイシステム。
【請求項１０】
ディスプレイシステムがロックモードにあるとき、ディスプレイが枢動することを防止するディスプレイロック部をさらに備える請求項１に記載のディスプレイシステム。
【発明の詳細な説明】
【技術分野】
【０００１】
本発明は移動通信装置に関する。より詳細には、本発明は移動通信装置用のユーザーインターフェース関する。
【背景技術】
【０００２】
移動通信装置は近年において広く使用されるようになった。これらの装置は音声通信手段を提供するほかに、しばしば追加機能を備えている。例えば移動通信装置はしばしばテキストメッセージや電子メール機能、コンタクト管理アプリケーション、カレンダ、一体型写真撮影装置、テレビゲーム、および他の特定なアプリケーションを備えている。
【０００３】
一般的には、移動通信装置は小型であって、ズボンのポケットや小さなハンドバッグに容易に入ることが極めて望ましい。従って、例えばキーボードおよび他の入力装置などのインターフェース部品のために活用できる装置は限定される。このため通常の移動通信装置は、装置の全特性を活用するために行われる接触的な入力動作の数と比較して少ないボタンしか備えていない。従って実態としては、しばしばキーボードの一部のボタンは複数の役割を果たすように使用される。テキストメッセージまたは電子メールを送信するときに、使用者は例えば特定の文字を選択するために通常は特定のボタンを多数回押す必要がある。このような方法によりテキストメッセージまたは電子メールを作成することは非常に煩雑である。
【０００４】
さらに、従来型キーボードのボタンを備える装置において、テレビゲームを行うこともまた困難である。テレビゲーム中のある特定機能を実行させるために、キーボードのボタンを用いることは、直感に沿ったものではない。テレビゲームを行う人は、ボタンの選択のために相当な注意力を払わなければならず、これはゲーム体験から得られる満足感を減じさせる。同様に、従来型の移動通信装置のキーボードボタンを用いてインターネットを閲覧することは、初心者にとっては面倒である。
【発明の開示】
【発明が解決しようとする課題】
【０００５】
従って、現存するユーザーインターフェースは、使用者が移動通信装置と対話する満足感を得やすくさせてはいない。
【課題を解決するための手段】
【０００６】
本発明における一実施態様は、枢動および／または回動できるディスプレイを備えるディスプレイシステムに関する。ディスプレイシステムは固定された位置にある基台を備える。ディスプレイは基台に対して枢着されており、そのためディスプレイは第１の位置と少なくとも第２の位置との間で操作可能である。さらにディスプレイは、同ディスプレイの頂面に対してほぼ直交する方向に延びる軸線を中心として回動操作可能である。
【０００７】
ディスプレイシステムはまた少なくもと１つのセンサを備える。センサは電気センサ、もしくは光子または光によるセンサである。センサ出力はディスプレイの位置に対応している。例えばセンサは、ディスプレイの枢動方向、ディスプレイの枢動量、ディスプレイの回動方向、および／またはディスプレイの回動量を判定するための信号を出力することができる。
【０００８】
請求項１に記載のディスプレイシステムはまた、ディスプレイを基台に対して枢着するディスプレイ支持体を有する。ディスプレイ支持体は、ディスプレイに固着された少なく
とも１つの支持部材を有する。ディスプレイ支持体はまた、支持部材に固着され、かつ基台に枢着された少なくとも１つのピボット部材を有する。さらに、ディスプレイシステムは少なくとも１つの突起を有する構造部材を有する。ピボット部材は同ピボット部材のほぼ周上に配置された溝を備え、その溝は該突起を受承するように配置されている。
【０００９】
他の態様において、ディスプレイ支持体は基台に固着された少なくとも１つの支持部材を有する。ディスプレイ支持体はまた、該支持部材に固着され、かつディスプレイに枢着された少なくとも１つのピボット部材を有する。さらにディスプレイは少なくとも１つの突起を備え、ピボット部材は同ピボット部材のほぼ周上に配置された溝を備え、その溝は該突起を受承するように配置されている。
【００１０】
少なくとも１つのロック部材を有するディスプレイロック部は、ディスプレイシステムがロックモードにあるときには、ディスプレイが枢動しないようにするために備えられている。ロック部材は後退位置と伸張位置との間で操作可能である。後退位置においてロック部材はディスプレイとは接触していない。一方伸張位置においてロック部材はディスプレイと接触しており、その接触によりディスプレイが枢動することを防止する。ディスプレイロック部は、ディスプレイを伸張位置から後退させるディスプレイ後退要素をさらに備える。それによりディスプレイは後退位置に枢動し、ディスプレイは基台と接触することができる。この基台との接触によりディスプレイの枢動が防止される。
【００１１】
ディスプレイは、接触力をかけることにより第１の位置から第２の位置に枢動することができる。ディスプレイは同ディスプレイと基台との間に配置された複数の張力部材を有する。張力部材は接触力が停止すると、ディスプレイを第２の位置から第１の位置に回帰させる。またスカートが備えられ、ディスプレイの外縁から基台または装置表面に延びており、隔壁を形成する。この隔壁は、例えば、塵埃や液体などの汚染物質がディスプレイシステムに侵入することを防止する。グラフィカルユーザーインターフェース（ＧＵＩ）はディスプレイ上にグラフィック情報を表示するとともに、ディスプレイの位置と関連する入力情報を受信する。
【００１２】
さらに本発明は、基台と、同基台に枢着されたディスプレイとを有するディスプレイシステムを備え、ディスプレイは第１の位置と第２の位置との間で操作可能である装置を開示する。該装置は、ディスプレイシステムからのディスプレイ位置と対応する少なくとも１つの入力信号を受信する。装置はまた、該装置内において支持体構造上に枢設されたディスプレイと、同支持構造に送達された接触力に対応して該装置に入力情報を接続する手段とを備える。
【発明を実施するための最良の形態】
【００１３】
本発明における実施態様は、通信装置用のディスプレイシステムに関する。図１に一例としての通信装置１００の斜視図を示す。図２には、２−２断面線における通信装置１００の断面図を示す。図１，２に示すように、通信装置１００は枢動型ディスプレイシステム１０５を備える。ディスプレイシステム１０５は通信装置１００内に枢設されたディスプレイ１１０を備える。詳細には、ディスプレイ１１０は接触力をかけることにより枢動する。例えば、ディスプレイ１１０はＸ方向、Ｙ方向、またはＸ方向およびＹ方向の任意の組み合わせ方向に枢動可能である。接触力をかけることにより、ディスプレイ１１０の頂面１２０に対して垂直な軸線１１５を中心としてディスプレイを回動させることができる。これにより、ディスプレイ１１０は枢動および回動をさせるように操作することができる。
【００１４】
ディスプレイシステム１０５を使用することにより、人と通信装置との対話を大幅に改善することができる。例えば、ディスプレイシステムはグラフィカルユーザーインターフ
ェース（ＧＵＩ）を備える。ＧＵＩはディスプレイ１１０上にグラフィック情報を表示するとともに、ディスプレイからディスプレイが配置されている位置に対応した入力情報を受信する。より詳細には、ディスプレイシステム１０５の枢動および／または回動する特性を活用するアプリケーションを通信装置１１０に付与することができる。
【００１５】
例えば、ディスプレイ１１０の縁部に沿ってアルファベットの文字を表示するテキストメッセージエディタまたは電子メールエディタを備えることができる。特定の文字を選択するには、使用者は所望の文字が表示されているディスプレイ１１０の箇所に接触入力することができる。接触入力は、接触入力により決定された方向にディスプレイを枢動させる。１つ以上のセンサ１５５はその枢動方向を検知し、プロセッサにより処理可能な出力を発生させ、選択された文字をテキスト／電子メールエディタに提供する。
【００１６】
別の実施例において、通信装置１００上において遊戯するためのゲームを付与することができる。通信装置１００上でのこのようなゲームは、他の種類の通信装置上でのゲームと比較すると、極めて直感的に理解可能である。使用者はディスプレイ１１０を操作して使用者のコマンドを入力するが、他方ではキーボードを用いて入力するからである。従って使用者はゲームに対して一層集中することができ、キー選択のために注意力を殆どそらすことがない。
【００１７】
さらに、インターネットを閲覧するために通信装置１００を用いることは、従来型の通信装置を用いることと比較すると大幅に煩雑でなくなる。具体的には、通信装置１００のディスプレイ１１０は、従来型通信装置のキーボードを使用することと比較すると、枢動および／または回動させて、インターネットをナビゲートし、さらにウェッブページをスクロールすることができる。従って、通信装置１００を用いることにより達成される満足感は、他の通信装置を用いて体感される満足感より極めて大きい。さらにディスプレイ１１０を使用することにより、通信装置１００上でのメニュー選択および、例えば描画プログラムなどの他種のアプリケーションの実行が容易となる。従って通信装置１００は、現在使用可能な通信装置または携帯情報端末より高能力な多機能ツールである。
【００１８】
特に、通信装置１００は通信信号を送受信できる所望の種類の通信装置である。例えば通信装置１００は、電話、携帯電話などの移動局、携帯ラジオ、スマートフォン、携帯情報端末（ＰＤＡ）、携帯型コンピュータ、または他の携帯型の通信装置となり得る。一態様において、通信装置１００は、ソフトウェアまたはファームウェアアプリケーションを実行するようにプログラムされたプロセッサを備える。
【００１９】
ディスプレイ１１０は、通信装置に使用される任意の種類のディスプレイである。例えば、ディスプレイは液晶ディスプレイ（ＬＣＤ）、ＬＣＯＳ（Ｌｉｑｕｉｄ  Ｃｒｙｓｔａｌ  ｏｎ  Ｓｉｌｉｃｏｎ）ディスプレイ、プラズマディスプレイ、または他の小型のディスプレイである。ディスプレイ１１０は正方形、長方形、円形、楕円形、三角形、または任意の所望の他形状である。さらに、ディスプレイ１１０は、タッチまたは非タッチスクリーンディスプレイである。ディスプレイ１１０がタッチスクリーンである構成において、タッチセンサは枢動接触力および回動接触力を感受するディスプレイ領域においては稼動しない。ディスプレイシステム１０５がディスプレイの移動を停止している（以下にさらに詳細に検討する）ロックモードを備えていれば、非稼動中のタッチセンサはロックモード中には再度稼動させることができる。それに代えて、タッチスクリーン、ならびに枢動接触力および回動接触力の双方からの入力を可能とすることができ、特に（必ずではないが）それらの入力情報が互いに区別可能な構成として入力を可能とすることができる。
【００２０】
ディスプレイ１１０は、ディスプレイ１１０の底面１２５に固着された１つ以上の支持
部材１３０、および支持部材１３０に固着された少なくとも１つのピボット部材１３５を備える。ピボット部材１３５は通信装置１００内部において基台１４５に枢着されている。例えば、ピボット部材１３５はほぼ球形をなすとともに、ソケット１５０内部に配置されており、それによりディスプレイをＸ方向およびＹ方向に枢動させることができる。ピボット部材１３５もまたほぼ球形をなして形成され、さらに使用者の接触感を付加するための窪みを備える。ピボット部材１３５およびソケット１５０は軸線１１５を中心とする回動のために設置されている。
【００２１】
ピボット部材１３５は、ソケット１５０の開口１８０を介して載設されており、同開口はピボット部材１３５の外周よりも小さく、それによりピボット部材１３５をソケット内に保持できる。このような構成において、取付工程中には、ピボット部材１３５および／またはソケット１５０を一時的に変形させるに充分な力を用いて、ピボット部材１３５を当該箇所に押入する。それに代えて、保持リング（図示せず）または保持部材（図示せず）をピボット部材１３５の上部に配設し、ピボット部材１３５が確実にソケット１５０内に保持できるようにする。さらにそれに代えて、ソケット１５０から延びる一体型リップ（図示せず）を用い、ピボット部材１３５をソケット１５０内に保持することができる。
【００２２】
別の実施態様において、支持部材１３０は基台１４５に固着され、さらにピボット部材１３５はディスプレイ１１０に枢着されている。この実施態様において、ピボット部材１３５を受承するソケットはディスプレイ１１０の底面に配置される。さらに、ディスプレイ１１０を基台１４５に枢着した他の構成が用いられ得るが、そのような構成は本発明の範囲内にある。
【００２３】
ディスプレイ１１０が円形であったり、通信装置１００の前面１６０からずれていたりする構成においては、軸線１１５を中心とする限定的または非限定的な回動が可能となる。ディスプレイ１１０が前面１６０からずれておらず、かつディスプレイ１１０が円形ではない場合には、軸線１１５を中心とした一定量の回動が可能となる。例えば、ディスプレイ１１０の外縁１７５よりも大きい外縁１７０を備えた、通信装置１００のディスプレイ凹部１６５を設ける。これにより、ディスプレイ凹部１６５の外縁１７０とディスプレイの外縁１７５との隙間が形成され、ディスプレイ凹部１６５内においてディスプレイ１１０の一定量の回動が可能となる。
【００２４】
１つ以上のセンサ１５５を通信装置１００に付与し、ディスプレイ１１０の枢動および／または回動を検知する。センサ１５５はディスプレイ１１０の位置、および／またはディスプレイ１１０の移動を検知することが可能な任意の種類のセンサである。例えば、センサ１５５は電気パッドなどの電気センサである。センサ１５５はまた、例えばディスプレイ１１０から基台に延びる機械構造物であって、歪みゲージなどの機械構造物の伸縮量に対応した信号を出力するような電気機械センサである。センサはまた、光子または光によるセンサであってもよい。光子によるセンサは光子源および光子検知器を備える。光子によるセンサはセンサに対するディスプレイ１１０の特定部分の位置、および／またはセンサに対するディスプレイの回動を測定する。
【００２５】
一態様において、センサ１５５は通信装置１００内部に付与され、さらにディスプレイ１１０直下に配置される。例えばセンサ１５５は、ディスプレイ凹部１６５中にある基台１４５の隆起部分１８５上に配置される。センサ１５５は、例えばディスプレイ底面１２５の移動を監視することにより、ディスプレイ１１０の移動を検知する。別の態様において、センサ１５５はソケット１５０に近接したり、ソケット１５０の内部に配置されたりして、ピボット部材１３５または支持部材１３０の移動を検知する。
【００２６】
センサ１５５が電気によるセンサである場合には、接触部材がセンサ１５５の出力状態
を変化させるように付与される。例えば、接触部材１４０がディスプレイ１１０の底面１２５上に付与されたり、接触部材がピボット部材１３５上に付与されたりする。ディスプレイ１１０が特定の方向に枢動されたときに、接触部材１４０が特定の１つのセンサ１５５と接触するように、接触部材１４０は配置される。
【００２７】
電気によるセンサには複数の出力状態が付与されている。例えば、センサ１５５は２つの出力状態を有する。１つのセンサ１５５の第１の出力状態は、センサ１５５が接触部材１４０とは接触していないことを示し、１つのセンサ１５５の第２の出力状態は、センサ１５５が接触部材１４０と接触していることを示す。このようにして、ディスプレイが枢動されているか否かと、枢動の方向とが判定される。
【００２８】
センサ１５５が光子によるセンサである場合には、センサ１５５はディスプレイ１１０、接触部材１３５、および／または支持部材１３０の特定部分の位置を測定し、測定データを作成する。この測定データを用いて、ディスプレイ１１０の位置、ディスプレイの枢動方向、ディスプレイの枢動量、ディスプレイの回動方向、および／またはディスプレイの回動量が計算される。
【００２９】
使用されるセンサの種類が何であるかにかかわらず、センサ１５５からの出力は通信装置１００のプロセッサにより処理され、ディスプレイ１１０の位置が判定される。例えば、センサが電気的なタッチパッドである場合には、プロセッサは、センサ１５５が接触している場合に、どのセンサ１５５が接触部材１４０と接触しているかを判別する。光子によるセンサが使用されている場合には、プロセッサはセンサからの測定データを用いてディスプレイの位置を計算する。
【００３０】
図３Ａ，３Ｂには、代替案であるピボット構造を備えるディスプレイシステム３００の拡大図を示す。図３Ａは中立位置にあるディスプレイ１１０を示し、図３Ｂは傾斜した位置、すなわち接触位置にあるディスプレイ１１０を示す。ディスプレイ１１０は支持部材１３０に固着され、支持部材１３０はピボット部材３３５に固着されている。ピボット部材は溝３５０を有し、溝３５０は、例えば溝３５０内に嵌合する基台３４５の一部などの突部３５５を受承する。図示した実施態様において、一本の溝３５０がピボット部材３３５の外周を周回して延びているが、本発明はそれに限定されない。例えば、外周を周回して延びてはいない１つ以上の小溝をピボット部材３３５上に配置することができる。
【００３１】
溝３５０は突部３５５の厚さ３６０よりも広い幅を備える。これにより、突部３５５はディスプレイ１１０に枢動と回動とをさせる一方、ディスプレイ１１０をディスプレイ凹部内に保持する役目をも果たす。基台３４５はスペーサ部材３６５により通信装置１００の他の部分から離間されており、これによりピボット部材３３５が何物にも妨げられずに枢動および回動をすることを可能とする。なお、ピボット部材３３５が基台３４５に固着され、かつディスプレイ１１０に枢着されている代替案が実行され得ることは留意されるべきである。
【００３２】
図４Ａ，４Ｂにはディスプレイシステム４００の拡大図を示す。図４Ａは中立位置にあるディスプレイ１１０を示し、図４Ｂは傾斜した位置、すなわち接触位置にあるディスプレイ１１０を示す。ディスプレイシステム４００はスカート４０５を有する。ディスプレイ１１０が円形または楕円形である実施態様においては、スカート４０５は図示したように、ディスプレイ１１０の外縁１７５から基台１４５の隆起部分１８５の外縁に延びている。他の構成（図示せず）において、スカート４０５はディスプレイ１１０の外縁１７５からディスプレイ凹部の外縁に延びている。スカート４０５は、ディスプレイ１１０の外縁１７５と、基台１４５の隆起部分１８５の外縁４１０（またはディスプレイ凹部の外縁）との外縁全長に延び、それにより、塵埃および他の汚染物質がディスプレイ凹部１６５
に侵入することを防止する。そのような汚染物質はディスプレイシステム４００の適切な操作を妨害する。スカート４０５は任意の適する工程により設置される。例えば、スカート４０５の辺４１５，４２０はディスプレイ１１０および基台１４５の外縁１７５，４１０に夫々接着剤またはエポキシ材料により接着できる。
【００３３】
スカート４０５は、ゴム、シリコーン、布、または汚染物質の大部分がディスプレイ凹部１６５に侵入することを防止する任意の他の材料からなる。さらに、スカート４０５は弾性を有する材料からなる。そのため、スカート４０５は、接触力がディスプレイ１１０にかかっていないときには、ディスプレイ１１０が中立位置に回帰するようにしてディスプレイ１１０を傾斜させることができる。例えば、図４Ａに示すような中立位置において、ディスプレイは接触部材１４０がセンサ１５５に接触しないように配置される。図４Ｂに示すように、接触力が作用してディスプレイ１１０を枢動させると、スカート４０５は必要に応じて伸縮して枢動動作を可能とする。
【００３４】
さらに、ディスプレイシステム４００はディスプレイ凹部１６５の内部に配置されるとともに、ディスプレイ１１０から基台１４５に延びる弾性部材４２５を備える。弾性部材はスカート４０５に加えて付与しても、スカート４０５に代えて付与してもよい。弾性部材４２５はゴム、シリコーン、または適切な弾性を有する任意の他の材料からなる。図４Ａに示すように、弾性部材４２５はまた、接触力がディスプレイ１１０にかからないときには、ディスプレイ１１０を傾斜させるようにして用い、ディスプレイ１１０を中立位置に回帰させる。図４Ｂに示すように接触力がかかりディスプレイ１１０を枢動させると、弾性部材４２５は必要に応じて伸縮して枢動することを可能とする。一構成において、例えば歪みゲージなどのセンサ１５５を弾性部材４２５と一体化させ、ディスプレイ１１０の枢動または回動を検知することができる。
【００３５】
一実施例において、通信装置に対してディスプレイの移動を防止するロックモードを付与することが望ましい。一例としてのロック機構を図５Ａ，５Ｂに示す。図５Ａに、ロック部材５０５を有するディスプレイシステム５００を図示する。ロック部材５０５は伸張位置と後退位置との間で操作可能である。伸張位置とはロック部材５０５がディスプレイ１１０に着座し、ディスプレイ１１０の移動を防止する位置であり、後退位置とはディスプレイ１１０が自由に移動できる位置である。１つ以上のアクチュエータ５１０はロック部材５０５を伸張および後退をさせる。アクチュエータ５１０は、ロック部材５０５の移動を行わせるとともに、ロック部材５０５を所望位置に保持することができる任意の種類の装置である。例えば、アクチュエータ５１０はソレノイドである。さらにアクチュエータ５１０は、ロック部材５０５に付勢力を加え、ロック部材５０５の特定方向への移動を促進させるばね５１５を備える。
【００３６】
図５Ｂには、可動ソケット部材からなるロック機構を備えるディスプレイシステム５５０を図示する。ソケット部材５６０はピボット部材１３５を保持するソケット１５０を備える。ソケット部材５６０は伸張位置と後退位置との間で操作可能である。伸張位置とはディスプレイ１１０が自由に移動できる位置であり、後退位置とはディスプレイ１１０が基台１４５の隆起部分１８５に着座し、ディスプレイ１１０の移動を防止する位置である。１つ以上のアクチュエータ５１０はソケット部材５６０の伸張および後退をさせ、さらにアクチュエータはばね５１５を備える。本願明細書に開示したロック機構は単なる例であり、本発明はそれに限定させるものではなく、他の種類のロック機構が使用され得ることは留意するべきである。
【００３７】
本発明の好ましい実施態様を図示しかつ説明してきたが、本発明はそれらに限定されるものではない。等業者においては、請求項に記載された本発明の精神および範囲から逸脱することなく、多くの修正、変更、改変、代用、および等価物を想起することができる。
【図面の簡単な説明】
【００３８】
【図１】本発明を理解することに有用な、一例としての枢動型ディスプレイシステムを有する通信装置の斜視図。
【図２】図１の通信装置を２−２線における断面図。
【図３Ａ】本発明を理解することに有用な、枢動型ディスプレイシステムの代替実施態様の拡大図。
【図３Ｂ】本発明を理解することに有用な、枢動型ディスプレイシステムの代替実施態様の拡大図。
【図４Ａ】本発明を理解することに有用な、枢動型ディスプレイシステムの一例としての実施態様の拡大図。
【図４Ｂ】本発明を理解することに有用な、枢動型ディスプレイシステムの一例としての実施態様の拡大図。
【図５Ａ】本発明を理解することに有用な、枢動型ディスプレイシステムの別例の実施態様の拡大図。
【図５Ｂ】本発明を理解することに有用な、枢動型ディスプレイシステムの別例の実施態様の拡大図。
【図１】
2007512791.tif 000003
【図２】
2007512791.tif 000004
【図３Ａ】
2007512791.tif 000005
【図３Ｂ】
2007512791.tif 000006
【図４Ａ】
2007512791.tif 000007
【図４Ｂ】
2007512791.tif 000008
【図５Ａ】
2007512791.tif 000009
【図５Ｂ】
2007512791.tif 000010
【国際調査報告】
2007512791.tif 000011
2007512791.tif 000012